(57)【要約】【課題】健常者から、床ずれ予防、治療を要する患者に至るまで使用者に合わせて反発性を調整して、単独で使うことは勿論、既存の寝具と組み合わせて使うことができるようにする。【解決手段】軟質性素材を用いた複数の分割片２ａ〜２ｅで構成し、袋状表地３内に一体収容する。前記分割片２ａ〜２ｅは、それぞれ異なる反発性の軟質性素材で構成したものを備えており、それぞれ選択的に前記表地３内に収容して、敷物１として全体的、または要部の反発性を調整可能とする。なお、かかる敷物１は、勿論、５つの分割片２ａ〜２ｅに限らず、３つ、あるいは６つ以上に多分割された分割片で構成することもできる。前記表地３には、伸縮性と共に撥水性、または防水性を有する布地を用いることができる。【選択図】　　　　　　　図２
2004049353.tif 000002
【特許請求の範囲】
【請求項１】
軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して、使用者の身体状況や嗜好に応じた反発性に調整可能としたことを特徴とする敷物装置。
【請求項２】
軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して、使用者の身体状況や嗜好に応じた反発性に調整可能としたことを特徴とする敷物装置。
【請求項３】
軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して構成した敷物を、ベッド上のマットレス上に載置して、前記敷物とマットレスとをカバー部材により被覆することを特徴とする敷物装置。
【請求項４】
軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して構成した敷物を、布団上に載置して、前記敷物と布団とをカバー部材により被覆することを特徴とする敷物装置。
【請求項５】
軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆することを特徴とする敷物装置。
【請求項６】
軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して構成した敷物を、ベッド上のマットレス上に載置して、前記敷物とマットレスとをカバー部材により被覆することを特徴とする敷物装置。
【請求項７】
軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して構成した敷物を、布団上に載置して、前記敷物と布団とをカバー部材により被覆することを特徴とする敷物装置。
【請求項８】
軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆することを特徴とする敷物装置。
【請求項９】
前記表地内に、前記分割片をそれぞれ収容するための分割片収容室を構成したことを特徴とする請求項１ないし８記載のうち、いずれか１記載の敷物装置。
【請求項１０】
前記分割片を個々に収容する収容袋を備えて、この収容袋に分割片を収容した状態で、それぞれ選択的に前記表地内に収容するようにしたことを特徴とする請求項１ないし８記載のうち、いずれか１記載の敷物装置。
【請求項１１】
前記表地は、伸縮性を兼ね備えた防水性の布部材で構成したことを特徴とする請求項１ないし１０記載のうち、いずれか１記載の敷物装置。
【発明の詳細な説明】
【０００１】
【発明の属する技術分野】
本発明は、健常者には、より快適な敷物装置を提供すると共にかかる健常者から、床ずれ予防、治療を要する患者に至るまで使用者に合わせて反発性を調整して、単独で使うことは勿論、既存の寝具と組み合わせて使うことができるようにした、敷物装置に関するものである。
【０００２】
【従来の技術】
高齢化社会に突入した現在、寝たきり等の入院患者数の増加と共に、褥瘡（じょくそう：床ずれ）発生の危険の高い患者が増加している。
以前、本出願人は、褥瘡対策を施したマットレスとして例えば特開平１１−１３７６１３号を提案している。この場合のマットレスでは、二層構造としており、通常使用対応の、比較的硬質素材で構成した第１マットレス（図示省略）と、床ずれ対策を施した例えば軟質な低反発ウレタンを用いた第２マットレス（図示省略）とを積層すると共に、これら第１マットレスと第２マットレスとを、表地に一体収容する構成としている。
前記マットレスによれば、床ずれ予防、治療を要する患者のみならず、健常者用のマットレスとしても使うことができるものとなっている。
また最近、本出願人は、ベッド上に限らず、和室に敷いた布団での使用も可能とした敷物を提案している。
かかる敷物によれば、病院内に限らず、在宅においても、より褥瘡の発生予防に効果を発揮するものであるので、高齢化社会に呼応した有効な褥瘡対策であるといえる。
【０００３】
【発明が解決しようとする課題】
このように、上記敷物は、床ずれ予防、治療を要する患者用としてのものであるので、広く健常者から患者、老人が使えるような敷物は未だ見受けられない。そのためには、使用者個々の好み、あるいは傷病状況に応じるには、前記敷物の固さの調整がきくようにすることで達成可能であると考えられる。
本発明はこのような背景から提案されたものであって、健常者には、より快適な敷物装置を提供すると共にかかる健常者から、床ずれ予防、治療を要する患者に至るまで使用者に合わせて反発性を調整して、単独で使うことは勿論、既存の寝具と組み合わせて使うことができ、褥瘡対策にも呼応した、敷物装置を提供することを目的とする。
【０００４】
【課題を解決するための手段】
前記した課題を解決するために、本発明では、請求項１において、軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して、使用者の身体状況や嗜好に応じた反発性に調整可能とした敷物装置を提案する。
また本発明では、請求項２において、軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して、使用者の身体状況や嗜好に応じた反発性に調整可能とした敷物装置を提案する。
また本発明では、請求項３において、軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して構成した敷物を、ベッド上のマットレス上に載置して、前記敷物とマットレスとをカバー部材により被覆する敷物装置を提案する。
また本発明では、請求項４において、軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して構成した敷物を、布団上に載置して、前記敷物と布団とをカバー部材により被覆する敷物装置を提案する。
また本発明では、請求項５において、軟質性素材を用いた複数の分割片を備え、これら複数の分割片を並べて人体が仰臥可能な寸法として、表地によって一体的に収容してなり、前記分割片は、それぞれ異なる反発性の軟質性素材で構成したものを有して、それぞれ選択的に前記表地内に収容して構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆する敷物装置を提案する。
また本発明では、請求項６において、軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して構成した敷物を、ベッド上のマットレス上に載置して、前記敷物とマットレスとをカバー部材により被覆する敷物装置を提案する。
また本発明では、請求項７において、軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して構成した敷物を、布団上に載置して、前記敷物と布団とをカバー部材により被覆する敷物装置を提案する。
また本発明では、請求項８において、軟質性素材を用いた複数の分割片を備え、これら複数の分割片を並べて人体が仰臥可能な寸法として、表地によって一体的に収容してなり、前記分割片は、同様の反発性を有する軟質性素材で構成したもの、および機械的加工を施して反発性を相違させた複数のものとを有し、それぞれ選択的に前記表地内に収容して構成した敷物を、この敷物に比較して硬質の素材で構成した下層部材と、前記敷物に比較して薄手且つ軟質の素材で構成した上層部材との間に介在して、これら上層部材と敷物と下層部材とをカバー部材により被覆する敷物装置を提案する。
また本発明では、請求項９において、前記表地内に、前記分割片をそれぞれ収容するための分割片収容室を構成した敷物装置を提案する。
また本発明では、請求項１０において、前記分割片を個々に収容する収容袋を備えて、この収容袋に分割片を収容した状態で、それぞれ選択的に前記表地内に収容するようにした敷物装置を提案する。
さらに本発明では、請求項１１において、前記表地は、伸縮性を兼ね備えた防水性の布部材で構成した敷物装置を提案する。
【０００５】
請求項１によれば、使用者に応じて反発性の異なる分割片を適宜入れ替えて、その使用者に対応した反発性に調整することができ、健常者から床ずれ対策を要する患者まで対応させることができる。
【０００６】
請求項２によれば、軟質性素材に適宜機械的加工を施すことで反発性を相違させた分割片を、適宜入れ替えることで、使用者に対応した反発性に調整することができ、いっそう効果的な体圧分散、および寝姿勢の保持が図られる。
【０００７】
請求項３によれば、使用者に応じて反発性の異なる分割片を適宜入れ替えて、その使用者に対応した反発性に調整することができ、ベッドのマットレス上に載置して、前記敷物とマットレスとをカバー部材により被覆して使用することができる。これにより、ベッド上において使用者にあった好適な体圧分散がもたらされ、寝姿勢の保持が図られる。
【０００８】
請求項４によれば、敷物をその使用者に対応した反発性に調整可能であるので、前記敷物と通常の布団とをカバー部材により被覆すれば、和室における布団をその使用者の好みに応じた固さとすることができ、使用者にあった好適な体圧分散がもたらされ、快適な寝心地を得ることができる。
【０００９】
請求項５によれば、敷物をその使用者に対応した反発性に調整可能であるので、その敷物に比較して硬質の素材で構成した下層部材と、敷物に比較して薄手且つ軟質の素材で構成した上層部材との間に介在して、これら上層部材と敷物と下層部材とをカバー部材により被覆して使用するようにすれば、使用者が上層部材に乗っても、下層部材によって衝撃が吸収され、前記敷物によって体圧が好適に分散され、寝姿勢保持が図られる。
【００１０】
請求項６によれば、敷物を同じ軟質性素材で、適宜機械的加工を施すことで反発性を相違させた分割片を適宜入れ替えて、使用者に対応した反発性に調整することができる。かかる敷物を、ベッド上のマットレス上に載置して、前記敷物とマットレスとをカバー部材により被覆して使用するようにすれば、ベッド上において使用者にあった好適な体圧分散がもたらされ、快適な寝心地を得ることができる。
【００１１】
請求項７によれば、敷物を同じ軟質性素材で、適宜機械的加工を施すことで反発性を相違させた分割片を適宜入れ替えて、使用者に対応した反発性に調整することができるので、前記敷物と通常の布団とをカバー部材により被覆すれば、和室における布団をその使用者の好みに応じた固さとすることができ、使用者にあった好適な体圧分散がもたらされ、快適な寝心地を得ることができる。
【００１２】
請求項８によれば、敷物を同じ軟質性素材で、適宜機械的加工を施すことで反発性を相違させた分割片を適宜入れ替えて、使用者に対応した反発性に調整することができる。かかる敷物を、その敷物に比較して硬質の素材で構成した下層部材と、敷物に比較して薄手且つ軟質の素材で構成した上層部材との間に介在して、これら上層部材と敷物と下層部材とをカバー部材により被覆して使用するようにすれば、使用者が上層部材に乗っても、下層部材によって衝撃が吸収され、前記敷物によって体圧が好適に分散され、寝姿勢保持が図られる。
【００１３】
請求項９によれば、分割片を容易に表地内の分割片収容室に出し入れすることができ、簡単に、使用者に対応した反発性に調整した敷物とすることができる。
【００１４】
請求項１０によれば、収容袋に分割片を収容した状態で表地内に収容するので、分割片同士が直接触れることはなく円滑に出し入れができ、特に一部の箇所の分割片を交換する際の作業が楽である。
【００１５】
請求項１１によれば、表地内に収容した分割片に、外部からの水分、汚れ等が侵入するのを遮断して、感染予防に寄与することができ、且つ清拭等、清掃も容易である。
【００１６】
【発明の実施の態様】
以下、本発明にかかる敷物装置につき、一つの実施の態様を示し、添付の図面に基づいて説明する。
図１に敷物１を示す。この敷物１は、軟質性素材を用いた複数の分割片２ａ，２ｂ，２ｃ，２ｄ，２ｅで構成して、これら複数の分割片２ａ〜２ｅを人体が仰臥可能な長さ寸法、幅寸法の袋状表地３内に一体収容して構成している。
【００１７】
前記分割片２ａ〜２ｅは、それぞれ異なる反発性の軟質性素材で構成したものを備えており、それぞれ選択的に前記表地３内に収容して、敷物１として全体的、または要部の反発性を調整可能としている（図２参照）。
軟質性素材としては、例えば厚さ３０ｍｍ〜７０ｍｍ、見掛け密度が１０ｋｇ／ｍ３〜１００ｋｇ／ｍ３、圧縮硬さが１０Ｎ〜４００Ｎのウレタンフォーム材を用いることができ、かかる範囲内の軟質性素材を用いて、反発性の異なった分割片として構成している。また軟質性素材としては、フォームラバーも可能である。なお、かかる敷物１は、勿論、５つの分割片２ａ〜２ｅに限らず、３つ、あるいは６つ以上に多分割された分割片（図示省略）で構成することもできる。
【００１８】
また前記表地３には、伸縮性のある布部材を用いている。また、伸縮性と共に撥水性、または防水性を有する布地を用いることもできる。かかる表地３は長手方向側面側にファスナ（図示省略）を設けて、前記分割片２ａ〜２ｅを表地３内に出し入れ交換容易に一体収容するようにしている。
【００１９】
以上のような敷物１によれば、使用者の身体状況や嗜好に応じて反発性の異なる分割片２ａ〜２ｅを表地３内に適宜入れ替えて、その使用者に対応した反発性に調整することができる。
前記分割片２ａ〜２ｅには、例えば厚さ３０ｍｍ〜７０ｍｍ、見掛け密度が１０ｋｇ／ｍ３〜１００ｋｇ／ｍ３、圧縮硬さが１０Ｎ〜４００Ｎの範囲のウレタンフォーム材を用いて、反発性を相違させているので、健常者は勿論、床ずれ対策を要する患者まで対応させることができる。特に床ずれ対策を要する患者が使用する場合、体圧のかかる肩甲骨周辺や、仙骨周辺に対応する分割片２ｂ，２ｃは、その使用者に応じて、他の箇所に比較して体圧分散性の効果の高い反発性のものを選択するようにする。
【００２０】
また本発明にかかる敷物１では、図示は省略するが分割片２ａ〜２ｅには、前記軟質性素材で構成したものと、異なる機械的加工を施して反発性を相違させた構成のものとを備え、それぞれ選択的に前記表地３内に交換収容して、敷物１として全体的、または要部の反発性を調整可能とすることもできる。
この場合、機械的加工としては、例えばプロファイル加工、プレス打ち抜き、くり抜き、熱プレス加工等を挙げることができる。
【００２１】
以上のような敷物１においても、同じ軟質性素材で、適宜機械的加工を施すことで反発性を相違させた分割片２ａ〜２ｅを適宜入れ替えて、使用者に対応した体圧分散性に調整することができ、いっそう効果的な体圧分散、および寝姿勢の保持が図られる。
【００２２】
また本発明にかかる敷物１では、図３に示すように袋状表地３内に、前記分割片２ａ〜２ｅをそれぞれ区画収容するための仕切４を形成して仕切４によって収容室Ｃ２ａ，Ｃ２ｂ，Ｃ２ｃ，Ｃ２ｄ，Ｃ２ｅを構成することもできる。
【００２３】
かかる敷物１によれば、分割片２ａ〜２ｅをそれぞれのＣ２ａ，Ｃ２ｂ，Ｃ２ｃ，Ｃ２ｄ，Ｃ２ｅに出し入れして、それぞれ適宜交換する作業を簡単に行うことができる。
【００２４】
また本発明にかかる敷物１では、図４に示すように前記分割片２ａ〜２ｅを個々に収容する収容袋Ｓ２ａ，Ｓ２ｂ，Ｓ２ｃ，Ｓ２ｄ，Ｓ２ｅを備えて、この収容袋Ｓ２ａ〜Ｓ２ｅに分割片２ａ〜２ｅを収容した状態で、それぞれ選択的に前記表地３内に交換収容して、全体的、部分的反発性を調整するようにしてもよい。
【００２５】
このような敷物１によれば、収容袋Ｓ２ａ〜Ｓ２ｅに分割片２ａ〜２ｅを収容した状態で表地３内に交換収容するので、分割片２ａ〜２ｅ同士が直接触れることはなく円滑に出し入れができ、特に一部の箇所の分割片を交換する際の作業が容易となる。
【００２６】
以上のように本願発明にかかる敷物１は、詰め物としての分割片２ａ〜２ｅは単層であるので扱いやすく、ベッドＢのマットレスＭ上に載置して、前記敷物１とマットレスＭとをカバー部材５により被覆して使用することができる（図５参照）。この場合も分割片２ａ〜２ｅを表地３内に適宜入れ替えて、健常者は勿論、床ずれ対策を要する患者に対応した反発性に調整することができる。
これにより、ベッドＢ上において使用者にあった好適な体圧分散がもたらされ、寝姿勢の保持が図られる。
【００２７】
また、前記敷物１と通常の布団６とをカバー部材５により被覆すれば、和室における布団６をその使用者の好みに応じた固さとすることができ、使用者にあった好適な体圧分散がもたらされ、快適な寝心地を得ることができる（図６参照）。
【００２８】
さらに、その敷物１に比較して硬質の素材で構成した下層部材７と、敷物１に比較して薄手且つ軟質の素材で構成した上層部材８との間に介在して、これら上層部材８と敷物１と下層部材７とをカバー部材５により被覆して使用することもできる（図７参照）。
この場合、使用者が上層部材８に乗っても、下層部材７によって衝撃が吸収され、前記敷物１によって体圧が好適に分散され、寝姿勢保持が図られる。
【００２９】
なお、前記表地３には、伸縮性を有する布地を用いることにより、分割片２ａ〜２ｅを弛みなく保持することができ、伸縮性と共に、撥水性、または防水性を有する布地を用いれば、表地３内に収容した前記分割片２ａ〜２ｅに、外部からの水分、汚れ等が侵入するのを遮断して、感染予防に寄与することができ、且つ清拭等、清掃も容易である。
【００３０】
【発明の効果】
以上本発明によれば、
（１）使用者に応じて反発性の異なる分割片を適宜入れ替えて、その使用者に対応した反発性に調整することができ、健常者から床ずれ対策を要する患者まで対応させることができる。
（２）軟質性素材に適宜機械的加工を施すことで反発性を相違させた分割片を、適宜入れ替えることで、使用者に対応した反発性に調整することができ、いっそう効果的な体圧分散、および寝姿勢の保持が図られる。
（３）使用者に応じて反発性の異なる分割片を適宜入れ替えて、その使用者に対応した反発性に調整することができ、ベッドのマットレス上に載置して、前記敷物とマットレスとをカバー部材により被覆して使用することができる。これにより、ベッド上において使用者にあった好適な体圧分散がもたらされ、寝姿勢の保持が図られる。
（４）敷物をその使用者に対応した反発性に調整可能であるので、前記敷物と通常の布団とをカバー部材により被覆すれば、和室における布団をその使用者の好みに応じた固さとすることができ、使用者にあった好適な体圧分散がもたらされ、快適な寝心地を得ることができる。
（５）敷物をその使用者に対応した反発性に調整可能であるので、その敷物に比較して硬質の素材で構成した下層部材と、敷物に比較して薄手且つ軟質の素材で構成した上層部材との間に介在して、これら上層部材と敷物と下層部材とをカバー部材により被覆して使用するようにすれば、使用者が上層部材に乗っても、下層部材によって衝撃が吸収され、前記敷物によって体圧が好適に分散され、寝姿勢保持が図られる。
（６）同じ軟質性素材で、適宜機械的加工を施すことで反発性を相違させた分割片を適宜入れ替えて、敷物を健常者から床ずれ対策を要する患者に対応した反発性に調整することができる。
（７）分割片を容易に表地内の分割片収容室に出し入れすることができ、簡単に、使用者に対応した反発性に調整した敷物とすることができる。
（８）収容袋に分割片を収容した状態で表地内に収容するので、分割片同士が直接触れることはなく円滑に出し入れができ、特に一部の箇所の分割片を交換する際の作業が楽である。
（９）表地内に収容した分割片に、外部からの水分、汚れ等が侵入するのを遮断して、感染予防に寄与することができ、且つ清拭等、清掃も容易である。
【００３１】
【図面の簡単な説明】
【図１】本発明にかかる敷物装置の一例を示す、外観斜視図である。
【図２】図１に示す敷物装置の平面説明図である。
【図３】本発明にかかる敷物装置における表地の別例を示す、外観斜視図である。
【図４】本発明にかかる敷物装置の別例を示す、平面説明図である。
【図５】本発明にかかる敷物装置をベッド上におけるマットレスと組み合わせて使用した例を示す、側面説明図である。
【図６】本発明にかかる敷物装置を布団と組み合わせて使用した例を示す、側面説明図である。
【図７】本発明にかかる敷物装置を下層部材、上層部材間の中間層として使用した例を示す、側面説明図である。
【符号の説明】
１　　　　　　　　　　　　　　　　　　　　敷物
２ａ〜２ｅ　　　　　　　　　　　　　　　　分割片
３　　　　　　　　　　　　　　　　　　　　表地
４　　　　　　　　　　　　　　　　　　　　仕切
Ｃ２ａ，Ｃ２ｂ，Ｃ２ｃ，Ｃ２ｄ，Ｃ２ｅ　　　　　　　　収容室
Ｓ２ａ，Ｓ２ｂ，Ｓ２ｃ，Ｓ２ｄ，Ｓ２ｅ　　　　　　　収容袋
５　　　　　　　　　　　　　　　　　　　　カバー部材
６　　　　　　　　　　　　　　　　　　　　布団
７　　　　　　　　　　　　　　　　　　　　下層部材
８　　　　　　　　　　　　　　　　　　　　上層部材
Ｂ　　　　　　　　　　　　　　　　　　　　ベッド
Ｍ　　　　　　　　　　　　　　　　　　　　マットレス
【図１】
2004049353.tif 000003
【図２】
2004049353.tif 000004
【図３】
2004049353.tif 000005
【図４】
2004049353.tif 000006
【図５】
2004049353.tif 000007
【図６】
2004049353.tif 000008
【図７】
2004049353.tif 000009